(57)【要約】【課題】給排気筒及び暖房機本体への排気管の脱着作業を容易に行うことができることを目的とする。【解決手段】壁に貫通して取付られた給排気筒１と、所定の位置に配置される暖房機本体２と、前記給排気筒１と暖房機本体２とを排気管１０で接続するものであって、前記排気管１０は直管部１０ｂ及び曲管部１０ａからなり、前記直管部１０ａには管軸方向に摺動自在な摺動管１１を装着し、前記給排気筒１と排気管１０と摺動管１１を同時に係止する係止手段１３を設けた構成としてある。【選択図】図１
2005233445.tif 000002
【特許請求の範囲】
【請求項１】
壁に貫通して取付られた給排気筒と、所定の位置に配置される暖房機本体と、前記給排気筒と暖房機本体とを排気管で接続するものであって、前記排気管は直管部及び曲管部からなり、前記直管部には管軸方向に摺動自在な摺動管を装着し、前記給排気筒と排気管と摺動管を同時に係止する係止手段を設けたことを特徴とする暖房機の排気管構造。
【請求項２】
係止手段は、直管部の一端に設けたビードと摺動管に設けたビードと給排気筒の摺動管接続部に設けたビードがストッパーとなるように３箇所の爪部を有した金具で挟み込む構成とした請求項１記載の暖房機の排気管構造。
【発明の詳細な説明】
【技術分野】
【０００１】
本発明は、ＦＦ式石油暖房機等に用いる暖房機の排気管構造に関し、特に給排気筒と機器本体の接続構成に関するものである。
【背景技術】
【０００２】
従来、例えばＦＦ式石油暖房機においては、図６に示すように壁に貫通して取付られた給排気筒と、室内に配置された暖房機本体と、一端を給排気筒に接続され、他端を暖房機本体に接続される排気管を備え、暖房機本体の燃焼ガスを排気管を介して給排気筒から屋外に排出する。また、前記暖房機を設置する場合、排気管の一端を給排気筒に接続した後、暖房機本体を給排気筒に対する所定位置まで移動し、位置合わせをしながら排気管の他端を暖房機本体に接続するようにしている（例えば、特許文献１参照）。
【０００３】
そして、上記特許文献１では暖房機本体と給排気筒との接続構成として、給排気筒内に係止部を有した着脱手段を形成し、設置後に暖房機本体と給排気筒との接続を外す場合は、前記係止部を解除することで給排気筒内の給気管と排気管が離れ、暖房機本体を移動することができるというものである。
【特許文献１】特開平９−３１８０５３号公報
【発明の開示】
【発明が解決しようとする課題】
【０００４】
しかしながら上記暖房機では、給排気筒に接続された排気管の位置が固定されているため、排気管との接続を暖房機本体を移動しながら接続しなければならず、脱着作業に苦労するという面があり、また、給排気筒内部に係止部を有した着脱手段を形成しているため、給排気筒と構造が複雑になるという課題があった。
【０００５】
本発明は上記従来の課題を解決するもので、標準的な給排気筒を使用して暖房機本体と給排気筒の脱着作業を容易行うことのできる暖房機の排気管構造を提供することを目的とする。
【課題を解決するための手段】
【０００６】
上記従来の課題を解決するため本発明の暖房機の排気管構造は、壁に貫通して取付られた給排気筒と、所定の位置に配置される暖房機本体と、前記給排気筒と暖房機本体とを排気管で接続するものであって、前記排気管は直管部及び曲管部からなり、前記直管部には管軸方向に摺動自在な摺動管を装着し、前記給排気筒と排気管と摺動管を同時に係止する係止手段を設けたものである。
【０００７】
これによって、暖房機本体と給排気筒を接続するとき、摺動自在の摺動管を排気管の直管部に挿入した状態で暖房機本体に取り付け、暖房機本体を給排気筒近傍の所定の位置に設置するだけで摺動管を摺動させて給排気筒の排気接続口に接続することができ、その後、排気管と摺動管と給排気筒を同時に係止することで、設置後に摺動管が摺動することもなく、確実に暖房機本体と給排気筒の接続形態を確保することができる。
【発明の効果】
【０００８】
本発明の暖房機の排気管構造は、暖房機本体を給排気筒の排気接続口に対応する所定の位置に設置するだけで、摺動管を摺動させることにより給排気筒との着脱作業を容易に行なうことができ、かつ、接続後の接続形態を確実に保持することができるため、排気管外れに対する安全性が向上する。
【発明を実施するための最良の形態】
【０００９】
第１の発明は、壁に貫通して取付られた給排気筒と、所定の位置に配置される暖房機本体と、前記給排気筒と暖房機本体とを排気管で接続するものであって、前記排気管は直管部及び曲管部からなり、前記直管部には管軸方向に摺動自在な摺動管を装着し、前記給排気筒と排気管と摺動管を同時に係止する係止手段を設けたことを特徴とするもので、暖房機本体と給排気筒を接続するとき、摺動自在の摺動管を排気管に挿入した状態で暖房機本体に取り付け、暖房機本体を給排気筒近傍の所定の位置に設置するだけで摺動管を摺動させて給排気筒の排気接続口に接続することができ、その後、排気管と摺動管と給排気筒を同時に係止することで、設置後に摺動管が摺動することもなく、確実に暖房機本体と給排気筒の接続形態を確保することができる。
【００１０】
第２の発明は、係止手段として、直管部の一端に設けたビードと摺動管に設けたビードと給排気筒の排気管接続部に設けたビードがストッパーとなるように３箇所の爪部を有した係止金具で挟み込む構成としたことを特徴とするもので、各配管に設けたビードにより摺動管の摺動規制を行い、かつ各ビードに対応させて係止金具の爪部を配することで排気管と摺動管と給排気筒の接続形態を確実に保持することができる。
【００１１】
以下、本発明の実施の形態について、図面を参照しながら説明する。なお、本実施の形態によって本発明が限定されるものではない。
【００１２】
（実施の形態１）
図１は本発明の第１の実施の形態における暖房機の排気管接続構成図、図２は同暖房機の全体外観図、図３は同暖房機の側面図、図４（ａ）（ｂ）は同排気管と給排気筒との接続構成を示す詳細図、図５（ａ）（ｂ）は同排気管と摺動管と給排気筒の関係を示す図である。
【００１３】
図において、室内側に設置された暖房機本体２は、機器本体の排気口に接続された排気管１０を介して壁を貫通して設置された給排気筒１に接続され、燃焼により発生した燃焼ガスが室外に排出される。同時に室外の新鮮な空気を吸い込み給気管より機器本体に供給される。いわゆる、ＦＦ式燃焼機の給排気構成である。
【００１４】
排気管１０は、曲管部１０aと直管部１０ｂとからなり、直管部１０ｂの内通部には管内軸方向に摺動する摺動管１１が収納され、該摺動管１１は所定の寸法内で直管部１０ｂの内通部を自在に移動させることができる。そして、摺動管１１を移動させることで給排気筒１の接続口に挿入し、暖房機本体２から排気管１０を経由し、摺動管１１を介して給排気筒１と接続するようにしている。
【００１５】
また、排気管１０の端部には円周方向に２つのビード１０ｃを形成し、かつ、摺動管１１の給排気筒１側端部にも同様のビード１１ａを形成し、さらに、給排気筒１の端部にも同様のビード１ａを形成する。そして、排気管１０と摺動管１１と給排気筒１を接続した状態で前記３箇所のビード１０ｃ、１１ａ、１ａを利用して係止金具１３により係止するようにしている。係止金具１３はビード部１０ｃ、１１ａ、１ａを挟み込むように爪部を有し一体的に構成されている。
【００１６】
上記構成において、暖房機本体２を設置する場合について説明すると、まず排気管１０の曲管部１０ｂを暖房機本体２に接続し固定する。次ぎに、暖房機本体２を所定位置まで移動し、図５（ａ）（ｂ）及び図４（ｂ）に示すように、排気管１０の直管部１０ａに摺動管１１を挿入し排気管１０側に移動させておく、この状態で給排気管１の接続口に摺動管１１を臨ませ、次ぎに、図４（ａ）に示すように、摺動管１１を給排気筒１側に移動させて摺動管１１と給排気筒１を接続する。その後、係止金具１３をはめ込み固定する。このとき、係止金具１３の３箇所の爪部１３ａを排気管１０のビード１０ｃと摺動管１１のビード１１ａと給排気筒１のビード１ａに対応させてはめ込むようにすることで、排気管１０と摺動管１１と給排気筒１を接続した後に外れるという心配はなくなり、確実に排気経路を確保することができる。
【００１７】
次ぎに、暖房機本体２を交換または撤去する場合について説明すると、まず、排気管１０と摺動管１１と給排気筒１を固定している係止金具１３を外し、摺動管１１を排気管１０側に移動させて摺動管１１と給排気筒１との接続を外す。この状態で暖房機本体２と給排気筒１は分離されるため、暖房機本体２を移動させることが可能となり、交換する場合は、新たな暖房機本体２を設置し、上記同様の手順で接続すればよい。
【００１８】
このように、暖房機本体２を設置する場合、本体を移動させながら給排気筒１との接続を行う必要がなく、所定の位置に設置した状態で接続が可能となる。
【００１９】
また、交換、撤去する場合も設置したままの状態で給排気筒１との接続を外すことができ、暖房機の設置、取り外しにおける作業性が改善にできる。
【産業上の利用可能性】
【００２０】
以上のように本発明にかかる暖房機の排気管構造は、本体を所定の位置に設置するだけで、固定された給排気筒との着脱作業を容易に行なうことができ、かつ、接続後の接続形態を確実に保持することができるため、ＦＦ式燃焼機の排気管接続全般に適用できる。
【図面の簡単な説明】
【００２１】
【図１】本発明の実施の形態１における暖房機の排気管接続構成図
【図２】同暖房機の全体外観図
【図３】同暖房機の側面図
【図４】（ａ）同暖房機の排気管接続構成を示す詳細図（ｂ）同暖房機の排気管接続構成を示す詳細図
【図５】（ａ）同暖房機の排気管と摺動管と給排気筒の関係を示す図（ｂ）同暖房機の排気管と摺動管と給排気筒の関係を示す図
【図６】従来の暖房機の排気管接続構成図
【符号の説明】
【００２２】
１  給排気筒
２  暖房機本体
１０  排気管
１０ａ  曲管部
１０ｂ  直管部
１１  摺動管
１３  係止金具（係止手段）
【図１】
2005233445.tif 000003
【図２】
2005233445.tif 000004
【図３】
2005233445.tif 000005
【図４】
2005233445.tif 000006
【図５】
2005233445.tif 000007
【図６】
2005233445.tif 000008